(57)【要約】【課題】本発明は、上記の問題に鑑み、延長吸込管を使った掃除中に掃除機本体の回動傾斜が生じ難いアプライト形電気掃除機を提供することを目的とする。  【課題を解決するための手段】  本発明は、電動送風機と、集塵手段とを有する掃除機本体と、掃除機本体の下部に設けた吸込体と、掃除機本体の上部に設けたハンドルと、掃除機本体から伸びる吸込ホースの先端に設けられ、かつ伸縮自在なる延長吸込管とを有し、吸込体は、吸込口部を有する吸口体部と、掃除機本体に接続する塵埃通気接続管部を有し、かつ吸口体部と塵埃通気接続管部が折り曲げられるように回動自在に結合されているアプライト形掃除機において、吸込体には、掃除機本体を吸込体の上方に位置させた状態で掃除機本体が後方側に倒れるのを抑える回動抑制手段を設けたことを特徴とする。【選択図】図１
2006198012.tif 000002
【特許請求の範囲】
【請求項１】
電動送風機と、集塵手段とを有する掃除機本体と、前記掃除機本体の下部に設けた吸込体と、前記掃除機本体の上部に設けたハンドルと、前記掃除機本体から伸びる吸込ホースの先端に設けられ、かつ伸縮自在なる延長吸込管とを有し、前記吸込体は、吸込口部を有する吸口体部と、前記掃除機本体に接続する塵埃通気接続管部を有し、かつ吸口体部と塵埃通気接続管部が折り曲げられるように回動自在に結合されているアプライト形掃除機において、
前記吸込体には、前記掃除機本体を前記吸込体の上方に位置させた状態で前記掃除機本体が後方側に倒れるのを抑える回動抑制手段を設けたことを特徴とするアプライト形電気掃除機。
【請求項２】
請求項１記載のアプライト形電気掃除機において、
前記回動抑制手段は、吸口体部に設けた板バネと、前記板バネに設けた隆起部と、前記塵埃通気接続管部に設けられ、かつ前記板バネに摺動するように当接する突起とを有し、前記隆起部に突起が保持されることにより前記掃除機本体の回動転倒が抑えられることを特徴とするアプライト形電気掃除機。
【請求項３】
請求項１記載のアプライト形電気掃除機において、
前記掃除機本体の外郭になる本体ケースは、前記電動送風機、前記集塵手段、コードリール、および前記吸込体と前記集塵手段を連通する塵埃通気内部ダクト等を内置し、
前記塵埃通気内部ダクトは、前記塵埃通気接続管部が着脱自在に挿入される継手ホルダーと、連通パイプを有し、
前記連通パイプは、前記コードリールと重なるよう前記本体ケース内に配置され、かつ
コードリールと重なるところにはコードリールに対面する面側を押しつぶした扁平部を設けたことを特徴とするアプライト形電気掃除機。
【請求項４】
請求項３記載のアプライト形電気掃除機において、
前記扁平部の表面に複数の補強用リブを設けたことを特徴とするアプライト形電気掃除機。
【請求項５】
請求項３記載のアプライト形電気掃除機において、
前記塵埃通気内部ダクトは、前記吸込ホースに連通する分岐口を有することを特徴とするアプライト形電気掃除機。
【請求項６】
請求項１記載のアプライト形電気掃除機において、
前記吸込体は、前記掃除機本体が立てられるようにほぼ直角に折り曲げた状態で前記吸口体部と前記塵埃通気接続管部との連通を閉じ、逆に前記掃除機本体を倒すように折り曲げ角度を広げることにより前記吸口体部と前記塵埃通気接続管部とを連通するように開く吸込口用シャッタを有することを特徴とするアプライト形電気掃除機。
【請求項７】
請求項６記載のアプライト形電気掃除機において、
前記吸込口用シャッタが閉じられ、かつ前記延長吸込管の吸い込みが閉ざされると、前記電動送風機に吸気が行われるように開放作動する電動送風機保護用吸気弁を備えたことを特徴とするアプライト形電気掃除機。
【請求項８】
請求項７記載のアプライト形電気掃除機において、
前記電動送風機の吸込側と、前記集塵手段の下流側との間に前記掃除機本体の外側に通ずる通気孔を設け、この通気孔に前記電動送風機保護用吸気弁を備えたことを特徴とするアプライト形電気掃除機。
【請求項９】
請求項８記載のアプライト形電気掃除機において、
前記電動送風機保護用吸気弁は、開閉作動する弁体と、前記弁体を閉鎖するように付勢する弁付勢バネとを有することを特徴とするアプライト形電気掃除機。
【請求項１０】
請求項３記載のアプライト形電気掃除機において、
床面掃除に際して床面に接触する本体ケースの下面下部側に橇用突起を設け、この橇用突起の先端側に植毛したことを特徴とするアプライト形電気掃除機。
【請求項１１】
請求項３記載のアプライト形電気掃除機において、
前記継手ホルダーは、前記吸込ホースに連通する分岐口を有し、
前記継手ホルダーの内径は、前記分岐口が設けられているところを含めて外方側に向かって大きくなるように形成されていることを特徴とするアプライト形電気掃除機。
【請求項１２】
請求項１記載のアプライト形電気掃除機において、
前記掃除機本体は、前記集塵手段のダストケースが着脱自在に収納されるダストケース収納部を有し、
前記ダストケースは、上側奥部に前記掃除機本体に係合をするフック釦を有し、
前記フック釦の係止を外して前記ダストケースの上部を手前側に引き出すように倒して際に、ダストケース収納部の上側間口間にダストケースの上部奥側部が当接して保持されるように構成したことを特徴とするアプライト形電気掃除機。
【請求項１３】
請求項１記載のアプライト形電気掃除機において、
前記掃除機本体は、前記集塵手段のダストケースが着脱自在に収納されるダストケース収納部を有し、
前記ダストケースは、粗塵が溜まるサイクロン集塵部、細塵が溜まる細塵集塵部、前記サイクロン集塵部と前記細塵集塵部を着脱自在に結合手段とを有し、
前記サイクロン集塵部には塵埃流入口を設け、前記細塵集塵部には、細塵フイルタの除塵装置を設け、
前記結合手段の操作釦、前記塵埃流入口、および前記除塵装置をダストケースの裏面側
に設けたことを特徴とするアプライト形電気掃除機。
【発明の詳細な説明】
【技術分野】
【０００１】
本発明はアプライト形電気掃除機に関するものである。
【背景技術】
【０００２】
アプライト形電気掃除機は、例えば、特開２０００−１５７４５０公開公報（特許文献１）に示される。
【０００３】
この種の電気掃除機は、床面用吸口体の他に吸込ホースを備えたものもある。吸込ホースの先に種々の吸口を付け替えて床面以外のところを掃除する。天井等の高いところを掃除するために延長吸込管を備えたものもある。
【０００４】
【特許文献１】特開２０００−１５７４５０公開公報
【発明の開示】
【発明が解決しようとする課題】
【０００５】
延長吸込管を使った掃除は、掃除機本体を立てて行う。掃除機本体を立てたときは、床面用吸口体の吸引が断たれて延長吸込管だけの吸い込みになる。延長吸込管で高いところを掃除するときに吸込ホースを引いたりするので、床面用吸口体の上に立つ掃除機本体が回動して傾いたりする。
【０００６】
電気掃除機全体が不安定になって転倒したりするので、延長吸込管を使った高いところの掃除に支障を来たす。また、掃除機本体が回動して傾斜することにより、床面用吸口体の吸い込みが行われるようになるので、延長吸込管の吸い込み力が弱くなって掃除に支障を来たす。
【０００７】
本発明は、上記の問題に鑑み、延長吸込管を使った掃除中に掃除機本体の回動傾斜が生じ難いアプライト形電気掃除機を提供することを目的とする。
【課題を解決するための手段】
【０００８】
本発明は。電動送風機と、集塵手段とを有する掃除機本体と、掃除機本体の下部に設けた吸込体と、掃除機本体の上部に設けたハンドルと、掃除機本体から伸びる吸込ホースの先端に設けられ、かつ伸縮自在なる延長吸込管とを有し、吸込体は、吸込口部を有する吸口体部と、掃除機本体に接続する塵埃通気接続管部を有し、かつ吸口体部と塵埃通気接続管部が折り曲げられるように回動自在に結合されているアプライト形掃除機において、吸込体には、掃除機本体を吸込体の上方に位置させた状態で掃除機本体が後方側に倒れるのを抑える回動抑制手段を設けたことを特徴とする。
【発明の効果】
【０００９】
本発明によれば、掃除機本体の回動傾斜が生じ難いアプライト形掃除機を提供できる。
【発明を実施するための最良の形態】
【００１０】
以下、発明の実施形態に係わる実施例について図面に基づいて説明する。
【００１１】
まず、図1〜図８に沿って述べる。
【００１２】
電気掃除機は、掃除機本体１と、掃除機本体１の下部に着脱自在に取り付ける吸込体２と、掃除機本体１の上部に折りたたみ自在なるハンドル３を有する。
【００１３】
ハンドル３は掃除機本体１のハンドル支持軸４に回動自在に支持され、通常はハンドル３を立てて図６は示すように床面の掃除を行う。ハンドル３は、クランプ５を有する。クランプ５により、ハンドル３を立てた状態が拘束されるので、掃除中にハンドル３が折りたたまれるようなことは起きない。収納時には、図１、図２に示すようにハンドル３を折りたたんで仕舞う。
【００１４】
吸込体２は、図６は示すように主に床面の掃除に使用する。延長吸込管６は、図５に示すように高いところ、ソファーの上、隅部等の掃除に使う。
【００１５】
延長吸込管６は、掃除機本体１から伸びるフレキシブルな吸込ホース７の先端に設けられ、伸縮自在である。高いところには、延長吸込管６を伸ばして掃除を行う。狭いところでは、延長吸込管６を短くして使うことができる。使うところに応じた使い方ができるので、使い勝手が良い。
【００１６】
吸込ホース７は、図４、図５に示すように掃除機本体１に設けたホースガイドリング８にスライド自在に支持されている。延長吸込管６は、掃除機本体１に設けた収納筒部９に着脱自在に差し込んで取り付ける。掃除機本体１には、ハンドル３の付け根近傍にＣ形状のホース受２０が設けられる。
【００１７】
延長吸込管６を使って掃除するときは、ホース受２０から吸込ホース７を外し、ホースガイドリング８にスライド自在された吸込ホース７を引き出すように長く伸ばして掃除をする。高いところの掃除も行える。
【００１８】
収納時には、短く収縮した吸込ホース７をホース受２０に嵌め込んで保持し、延長吸込管６を収納筒部９に差し込む。これにより、吸込ホース７および延長吸込管６が掃除機本体１に寄り添うように収まってふらふらしないので、仕舞い易い。
【００１９】
図７、図８に示すように、吸込体２は、吸口体部２１と、掃除機本体１に接続する塵埃通気接続管部２２を有する。
【００２０】
吸口体部２１は吸込口２３を有し、吸込口２３には塵埃を掻き揚げる回転ブラシ２４が設けられる。吸口体部２１と塵埃通気接続管部２２は、回動自在なる回動結合部２５を介して結合されている。吸口体部２１と塵埃通気接続管部２２は、回動結合部２５を支点と図７に示すようにほぼ直角に折り曲げたり、図８に示すようにまっすぐに延びた状態に回動できる。
【００２１】
吸口体部２１の吸込口２３と塵埃通気接続管部２２の内部は、回動結合部２５の通路を介して連通している。回動結合部２５は、吸込口用シャッタとしての機能も備わっている。回動結合部２５は、図７に示すようにほぼ直角に折り曲げることにより、吸込口用シャッタが閉じられ、回動結合部２５の通路は遮断される。このため、吸口体部２１と塵埃通気接続管部２２の連通は閉ざされる。
【００２２】
図８に示すようにまっすぐに延びた状態に回動することにより、回動結合部２５の吸込口用シャッタは開かれ、吸口体部２１と塵埃通気接続管部２２の連通が保たれる。吸込体２を使った掃除は、図８に示すように吸込体２をほぼまっすぐに延びた状態で行う。
【００２３】
図７に示すようにほぼ直角に折り曲げたときは、回動結合部２５の吸込口用シャッタが閉じるので吸込体２を用いた掃除はできない。替わって、延長吸込管６を用いた掃除が行われる。図８に示すように回動結合部２５の吸込口用シャッタを開いた状態でも延長吸込管６を用いた掃除をすることは可能であるが、吸込体２と延長吸込管６が吸い込みを取り合って双方の吸い込み力が低下するので望ましくない。
【００２４】
図１２は、吸込体２からダストケース２６に至る塵埃流通の経路と、延長吸込管６からダストケース２６に至る塵埃流通の経路とを分かり易く表した図である。この図から理解できるように吸込体２は、塵埃通気内部ダクト２７を介してダストケース２６に連通される。また、延長吸込管６は塵埃通気内部ダクト２７の途中からダストケース２６に連通される。
【００２５】
このようにダストケース２６には、吸込体２と延長吸込管６が塵埃通気内部ダクト２７を介して枝分かれるように連通しているので、回動結合部２５の吸込口用シャッタを開いたときは延長吸込管６を閉じて吸込体２による掃除を行う。回動結合部２５の吸込口用シャッタを閉じたときは、延長吸込管６による掃除を行う。
【００２６】
このように吸込体２を直角に折り曲げたり（掃除機本体１を立てる）、真っ直ぐにしたり（掃除機本体１を倒す）することにより、吸込体２による掃除と延長吸込管６による掃除とに容易に切替えが行われる。使い勝手の良い掃除機を提供できる。
【００２７】
図９、図１０、図１１に沿って回動抑制手段について述べる。
【００２８】
この電気掃除機は、前述したように掃除機本体１を立てたり、倒したりして使用する。このため、掃除機本体１を立てた状態が確実に保持され、かつ倒した状態に容易に回動できる回動抑制手段が備えられる。この回動抑制手段は、吸込体２に備えられる。
【００２９】
吸込体２の吸口体部２１は、図７、図８に示すように上ケース２８、下ケース２９を有する。図９、図１０、図１１の図示では上ケース２８が取り除かれ、下ケース２９の内部が示されている。
【００３０】
吸込体２の吸口体部２１は吸込口２３の後側に間隔を隔てて大きな後輪４０が備わる。吸込口２３の前側下部には小さな前輪４１が備わる。回動結合部２５の軸心は、後輪４０の回転軸心の近傍に位置するように設けられる。吸込体２は、前後の４個の車輪で支持されるので、掃除機本体１を立てた状態で自立できる。
【００３１】
吸口体部２１の下ケース２９には、回動結合部２５に隣接して板バネ４２を設ける。板バネ４２は中央に縦に延びる隆起部４３を有する。回動結合部２５を構成する塵埃通気接続管部２２の回動軸４４には、突起４５を設ける。この突起４５と板バネ４２の隆起部４３により、回動抑制手段は形成される。
【００３２】
この回動抑制手段は、突起４５と隆起部４３が向き合うように置かれ、かつ突起４５を板バネ４２に摺動するように設けられる。吸口体部２１に対して塵埃通気接続管部２２を回すことにより、塵埃通気接続管部２２の突起４５が板バネ４２の隆起部４３に突き当たる。更に塵埃通気接続管部２２を強く回すと、板バネ４２が撓んで隆起部４３が逃げる後退するので、突起４５は隆起部４３の頂部を越えて回動する。突起４５が隆起部４３の頂部を越えると、板バネ４２の撓みは戻るので、塵埃通気接続管部２２の逆方向の回動は抑制される。
【００３３】
この逆方向の回動抑制が掃除機本体１を立てたところで、生じるように回動抑制手段の突起４５と隆起部４３の位置決めされている。このため、掃除機本体１を立てた状態に保持される。すなわち、掃除機本体１を吸込体２の上方に位置させた状態で掃除機本体１が後方側に倒れるように回動することが抑えられる。掃除機本体１が倒れないので、延長吸込管６を使用した高いところの掃除が支障なく行うことができる。掃除機本体１を倒すときは、少し強く逆方向に回すことにより、回動抑制手段に抗して回動する。
【００３４】
掃除機本体１の構成について、図３、図１、図２、図２２、図２３、図２４に沿って説明する。
【００３５】
掃除機本体１の外郭を形成する本体ケースは、下側の本体ケース４６、上側の本体ケース４７より構成される。下側の本体ケース４６の上部にハンドル支持軸４を用いてハンドル３が回動自在に取り付けられる。
【００３６】
電動送風機４８、コードリール４９、塵埃通気内部ダクト２７、電動送風機用吸込ケース６０が本体ケース４６に収まる。塵埃通気内部ダクト２７が下側、その上にコードリール４９、その上に電動送風機用吸込ケース６０が重なるようにして本体ケース４６内に収まる。
【００３７】
塵埃通気内部ダクト２７は、図２２、図２３、図２４に示すように、継手ホルダー６１、連通パイプ６２、ダストケース用接続管部６３を有する。継手ホルダー６１は、吸込ホース６４に連通する分岐口６５を有する。
【００３８】
連通パイプ６２は、コードリール４９と重なるところにはコードリール４９に対面する面側を押しつぶした扁平部６６を設けた。扁平部６６のところは、他のところに比べ、半分位の太さになったので、本体ケースの太さを細くコンパクトにすることができた。
【００３９】
ただし、扁平部６６のところの風路断面積を確保するために、横方向に太くした。
【００４０】
また、扁平部６６には、複数の補強リブ６７を設けた。ブロー成型（合成樹脂）の連通パイプ６２は加熱されると、扁平部６６に熱変形が生じ易い。補強リブ６７により、扁平部６６の熱変形を抑えることができる。
【００４１】
電動送風機保護用吸気弁について図３に、図２８、図２９、図３０を加えて説明する。
【００４２】
電動送風機保護用吸気弁６８は、電動送風機用吸込ケース６０の接続リング６９に取り付けられる。接続リング６９は介在リング８０を介して電動送風機４８の吸込部に接続される。
【００４３】
電動送風機保護用吸気弁６８は、外気を取り入れて電動送風機４８の温度上昇を抑える。前述した吸込体２の回動結合部２５の吸込口用シャッタが閉じられるとともに、延長吸込管６の吸い込みが閉ざされているときは、電動送風機保護用吸気弁６８から外気を流入することにより電動送風機４８の温度上昇を抑えることができる。
【００４４】
電動送風機保護用吸気弁６８は、ダストケース２６の下流側と電動送風機４８の吸い込み側に位置する。下側の本体ケース４６には、外気が流入する通気孔８１が設けられる。この通気孔８１もダストケース２６の下流側と電動送風機４８の吸い込み側との間に設けられる。通気口８１のところ位置するように設けられた電動送風機保護用吸気弁６８を経て外気が電動送風機４８に吸い込まれ、電動送風機４８の温度上昇が抑えられる。
【００４５】
電動送風機保護用吸気弁６８は、弁体８２、弁体付勢バネ８３を有する。弁体付勢バネ８３は弁体８２が閉じられるように付勢している。吸込体２、延長吸込管６の吸い込みが閉ざされて電動送風機４８の吸い込み側の負圧が深まると、弁体８２が弁体付勢バネ８３に抗して開放作動し、外気が流入するのである。
【００４６】
図３、図１９、図２０、図２１に示すように集塵手段であるダストケース２６は、粗塵が溜まるサイクロン集塵部８４、細塵が溜まる細塵集塵部８５、サイクロン集塵部８４と細塵集塵部８５を着脱自在に結合手段の操作釦８６を有する。
【００４７】
また、サイクロン集塵部８４は前記ダストケース用接続管部６３に着脱自在に接続される塵埃流入口８７を有する。さらに細塵集塵部８５は細塵フイルタ８８、除塵装置８９を有する。結合手段の操作釦８６、塵埃流入口８７、細塵フイルタ８８、および除塵装置８９はダストケース２６の裏面側に設けられている。
【００４８】
ダストケース２６は、掃除機本体１の本体ケース４７に設けたダストケース収納部１００に着脱自在に収納される。ダストケース２６は裏側をダストケース収納部１００の内側に向けて収納されるので、操作釦８６、塵埃流入口８７、細塵フイルタ８８、および除塵装置８９は表側から見えず、外観形状のすっきりした電気掃除機を提供できる。
【００４９】
図１３〜図１８を加えてダストケースの着脱について述べる。
【００５０】
図１３〜図１５はダストケース２６がダストケース収納部１００に収まっている状態床を示す。図１６〜図１８はダストケース２６をダストケース収納部１００から外し始めるところを示す。
【００５１】
図１５、図１８に示すようにダストケース２６の上側部は、表側である前側の幅よりも後側（奥側）の幅が広い。また、ダストケース収納部１００の上側は、奥側の幅よりも間口幅が狭い。しかも、ダストケース２６の上側部の後側（奥側）の幅をダストケース収納部１００の上側の間口の幅よりも少し狭くしている。
【００５２】
ダストケース２６の上側のフック釦１０１を押して掃除機本体１との係合を外し、ダストケースの上部を手前側に引き出すように少し倒すと、ダストケース２６の後側（奥側）がダストケース収納部１００の間口間に当接して保持される。
【００５３】
この保持により、ダストケース２６を外す際の落下防止になる。ダストケース２６の取り外しがし易い。
【００５４】
図４、図５、図６に示すように、本体ケース４６の下面下部側に橇用突起１０２が設けられ、この橇用突起１０２の先端側に植毛１０３が施される。図６に示すように床面の掃除を行う際に植毛１０３が床面に接するので、床面を傷めない。
【００５５】
また、前記収納筒部９にも床面に接触する下部側に植毛１０４を施した。図６に示すように床面の掃除を行う際に植毛１０４が床面に接するので、床面を傷めない。
【００５６】
図２５、図２６、図２７に沿って電気掃除機の仕事量測定について述べる。
【００５７】
継手ホルダー６１の内径は、分岐口６５が設けられているところを含めて外方側に向かって大きくなるように形成されている。仕事量測定用管１０５を差し込むことにより、分岐口６５が閉じられるので、分岐口６５を閉じるための別の道具が不要であり、測定が容易に行える。
【００５８】
図３１〜図４３を引用して延長吸込管について詳しく述べる。
【００５９】
延長吸込管６は、図３３〜図３７に示すように太さの異なる複数の吸込管１２０、１２１、１２２を摺動自在に組み合わせて形成される。細い吸込管１２０の先端には、回動により切替ができる切替吸口１２３が設けられる。
【００６０】
延長吸込管６は伸縮自在である。長く伸ばして天井等の高いところを掃除する。短く縮めて狭いところの掃除をする。
【００６１】
延長吸込管６には、吸込管ロック手段１２４、１２５が備わる。
【００６２】
吸込管ロック手段１２５は、太い吸込管１２２の先側に設けられる。吸込管ロック手段１２５は係合突起１２６を有する。この係合突起１２６が中太の吸込管１２１の係合穴に係合して伸びた状態が保たれる。
【００６３】
吸込管ロック手段１２５のつまみ１２７をＷ方向に移動すると、係合突起１２６が係合穴にから離脱して吸込管ロック手段１２５の拘束が解かれる。中太の吸込管１２１を太い吸込管１２２に収納するように縮めることができる。
【００６４】
吸込管ロック手段１２４は、中太の吸込管１２１の先側に設けられる。吸込管ロック手段１２４はレバー１２８を有し、レバー１２８の内端突起が細い吸込管１２０の係合穴１２９に係合して伸びた状態が保たれる。
【００６５】
中太の吸込管１２１を太い吸込管１２２に収めると、レバー１２８が吸込管ロック手段１２５に突き当たって、レバー１２８が外周方向に作動する。この作動でレバー１２８の内端突起が細い吸込管１２０の係合穴１２９から外れるので、吸込管ロック手段１２４の拘束が解かれる。細い吸込管１２０を中太の吸込管１２１に収納するように縮めることができる。
【００６６】
このように延長吸込管６は、伸ばした状態が吸込管ロック手段の拘束により確実に保持される。吸込管ロック手段の拘束を解くことにより、延長吸込管６を容易に縮めることができる。
【００６７】
切替吸口１２３は、細い吸込管１２０の先端に支持軸１４０により回動自在に支持される。切替吸口１２３は、二つの吸口部１４１、１４２を有する。吸口部１４１にはブラシ１４３が設けられる。
【００６８】
切替吸口１２３を回すことにより、ブラシのない吸口部１４２（図４２）とブラシのある吸口部１４２（図４３）に切替られる。
【００６９】
ブラシのない吸口部１４２にセットしたときは、図３９に示すように回り止めの保持手段１４４（凹凸）により、その状態が保持される。
【００７０】
ブラシのある吸口部１４２にセットしたときは、図４０、図４１に示すように回り止めの保持手段１４５（突起）により、その状態が保持される。
【００７１】
このように切替吸口の切替は、回動により行われるので容易である。また、双方の切替った状態は回り止めの保持手段により保持されるので、使用中に切替吸口が簡単に回動して仕舞うことがなく、使いやすい。
【００７２】
延長吸込管６が収納される収納筒部９は図３１、図３２に示すように底部が閉じられている。収納筒部９は、受口にリング状のシールパッキング１４６を有する。延長吸込管６
の太い吸込管１２２には、外周に鍔１４７を設けている。
【００７３】
縮めた延長吸込管６を収納筒部９に差し込むと、鍔１４７がシールパッキング１４６に密着して気密が保たれる。収納筒部９の底部が閉じられているので、延長吸込管６の吸い込みは断たれる。吸込体２の吸い込みだけになるので、吸込体２の吸い込みが良く行われる。
【００７４】
このように延長吸込管６の吸い込みを閉ざすのに閉め切り弁等を設けないので、構成が簡単で安価である。また、延長吸込管６を収納筒部９に延長吸込管６の吸い込みを止めることができるので操作が簡単である。
【００７５】
収納筒部９は、吸込管保持手段１４８を有する。吸込管保持手段１４８は収納筒部９の受口のところに設けられる。吸込管保持手段１４８は、ロックピン１４９、ロック付勢バネ１５０、戻しレバー１５１を有する。
【００７６】
延長吸込管６は、収納筒部９に差込むことにより、ロックピン１４９に鍔１４７が係合し、収納筒部９に確実に保持される。このため、吸込体２による床面掃除中に延長吸込管６が収納筒部９から外れて掃除に支障を来たすことはない。
【００７７】
延長吸込管６は、ロックピン１４９が後退するように戻しレバー１５１を回すことにより容易に収納筒部９から外すことができる。
【図面の簡単な説明】
【００７８】
【図１】本発明の実施例に係わるもので、電気掃除機の縦断面図。
【図２】本発明の実施例に係わるもので、電気掃除機本体の縦断面図。
【図３】本発明の実施例に係わるもので、電気掃除機の分解斜視図。
【図４】本発明の実施例に係わるもので、電気掃除機を立てて置いた状態を示す図。
【図５】本発明の実施例に係わるもので、延長吸込管を使って掃除する際の形態を示す図。
【図６】本発明の実施例に係わるもので、吸込体で床面を掃除する際の形態を示す図。
【図７】本発明の実施例に係わるもので、吸込体の吸口体部と塵埃通気接続管部をほぼ直角に折り曲げた状態を示す図。
【図８】本発明の実施例に係わるもので、吸込体の吸口体部と塵埃通気接続管部をほぼ真っ直ぐにした状態を示す図。
【図９】本発明の実施例に係わるもので、吸込体の上ケースを外して吸込体を上から見たところを示す図。
【図１０】本発明の実施例に係わるもので、図９の（イ）部を拡大して示した図。
【図１１】本発明の実施例に係わるもので、図１０のＡ−Ａ断面図。
【図１２】本発明の実施例に係わるもので、吸込体からダストケースに至る塵埃流通の経路と延長吸込管からダストケースに至る塵埃流通の経路とを示す図。
【図１３】本発明の実施例に係わるもので、掃除機本体のダストケース収納部に収まったダストケースを正面から見た図。
【図１４】本発明の実施例に係わるもので、ダストケースが収まった掃除機本体の側面から見た図。
【図１５】本発明の実施例に係わるもので、図１３のＢ-Ｂ断面図。
【図１６】本発明の実施例に係わるもので、掃除機本体のダストケース収納部からダストケースを取り外すところを正面から見た図。
【図１７】本発明の実施例に係わるもので、掃除機本体のダストケース収納部からダストケースを取り外すところを側面から見た図。
【図１８】本発明の実施例に係わるもので、図１６のＣ-Ｃ断面図。
【図１９】本発明の実施例に係わるもので、ダストケースを表面（正面）から見た図。
【図２０】本発明の実施例に係わるもので、図１９のＤ-Ｄ断面図。
【図２１】本発明の実施例に係わるもので、ダストケースを裏面から見た図。
【図２２】本発明の実施例に係わるもので、塵埃通気内部ダクトを上面から見た図。
【図２３】本発明の実施例に係わるもので、図２２のＥ-Ｅ断面図。
【図２４】本発明の実施例に係わるもので、図２２の（ロ）部を拡大して示した図。
【図２５】本発明の実施例に係わるもので、継手ホルダーを分岐口の方から見た図。
【図２６】本発明の実施例に係わるもので、図２５のＦ-Ｆ断面図。
【図２７】本発明の実施例に係わるもので、継手ホルダーに仕事率測定用の管を挿入したところを示す図。
【図２８】本発明の実施例に係わるもので、下面側の本体ケースを内側から見た図。
【図２９】本発明の実施例に係わるもので、図２８のＧ-Ｇ断面図。
【図３０】本発明の実施例に係わるもので、図２９の（ハ）部を拡大して示した図。
【図３１】本発明の実施例に係わるもので、延長吸込管を収納筒部に差し込むところを示す図。
【図３２】本発明の実施例に係わるもので、延長吸込管を収納筒部に差し込み終えた（セットしたところ）ところを示す図。
【図３３】本発明の実施例に係わるもので、延長吸込管を引き伸ばした状態を示す図。
【図３４】本発明の実施例に係わるもので、延長吸込管を短くした状態を示す図。
【図３５】本発明の実施例に係わるもので、図３４のＨ-Ｈ断面図。
【図３６】本発明の実施例に係わるもので、延長吸込管に備わる吸込管ロック手段のロックを解除する状態を示す図。
【図３７】本発明の実施例に係わるもので、図３６のＩ-Ｉ断面図。
【図３８】本発明の実施例に係わるもので、延長吸込管の先端側を示す図。
【図３９】本発明の実施例に係わるもので、図３８のＪ-Ｊ断面図。
【図４０】本発明の実施例に係わるもので、延長吸込管の先端側を示す他の図。
【図４１】本発明の実施例に係わるもので、図４０のＫ-Ｋ断面図。
【図４２】本発明の実施例に係わるもので、延長吸込管の先端側の切替吸口を示す図。
【図４３】本発明の実施例に係わるもので、延長吸込管の切替吸口をブラシ側に切り替えたところを示す図。
【符号の説明】
【００７９】
４８…電動送風機と、２６…集塵手段（ダストケース）、1…掃除機本体、２…吸込体、３…ハンドル、７…吸込ホース、６…延長吸込管、２１…吸口体部、２２…塵埃通気接続管部、４２…板バネ、４３…隆起部、４５…突起４５。
【図１】
2006198012.tif 000003
【図２】
2006198012.tif 000004
【図３】
2006198012.tif 000005
【図４】
2006198012.tif 000006
【図５】
2006198012.tif 000007
【図６】
2006198012.tif 000008
【図７】
2006198012.tif 000009
【図８】
2006198012.tif 000010
【図９】
2006198012.tif 000011
【図１０】
2006198012.tif 000012
【図１１】
2006198012.tif 000013
【図１２】
2006198012.tif 000014
【図１３】
2006198012.tif 000015
【図１４】
2006198012.tif 000016
【図１５】
2006198012.tif 000017
【図１６】
2006198012.tif 000018
【図１７】
2006198012.tif 000019
【図１８】
2006198012.tif 000020
【図１９】
2006198012.tif 000021
【図２０】
2006198012.tif 000022
【図２１】
2006198012.tif 000023
【図２２】
2006198012.tif 000024
【図２３】
2006198012.tif 000025
【図２４】
2006198012.tif 000026
【図２５】
2006198012.tif 000027
【図２６】
2006198012.tif 000028
【図２７】
2006198012.tif 000029
【図２８】
2006198012.tif 000030
【図２９】
2006198012.tif 000031
【図３０】
2006198012.tif 000032
【図３１】
2006198012.tif 000033
【図３２】
2006198012.tif 000034
【図３３】
2006198012.tif 000035
【図３４】
2006198012.tif 000036
【図３５】
2006198012.tif 000037
【図３６】
2006198012.tif 000038
【図３７】
2006198012.tif 000039
【図３８】
2006198012.tif 000040
【図３９】
2006198012.tif 000041
【図４０】
2006198012.tif 000042
【図４１】
2006198012.tif 000043
【図４２】
2006198012.tif 000044
【図４３】
2006198012.tif 000045